(57)【要約】【課題】記録媒体を装置に装填せずに、記録媒体の画像情報を介して（利用して）、簡単に記録内容（コンテンツ）を確認できるコンテンツ表示方法およびシステムを提供すること。【解決手段】両面に記録面を有する記録媒体を用い、コンテンツを第１の記録面に記録し、当該記録媒体を識別可能とするための識別情報を第２の記録面に記録するようにして、第２の記録面に記録した識別情報のデータを、コンテンツデータと関連付けて記憶しておき、記録媒体を撮影して取得された記録媒体の識別情報が入力されたときに、入力された情報を用いて記憶手段を検索して、入力された記録媒体の識別情報に関連付けられているコンテンツデータを検出し、検出されたコンテンツデータによって、記録媒体に記録されているコンテンツを再生表示することを特徴とする。【選択図】図１
2007317321.tif 000002
【特許請求の範囲】
【請求項１】
第１の記録光によりデータを記録可能な第１の記録面と、第２の記録光によりデータを記録可能な第２の記録面とを有する記録媒体を用い、前記第１の記録光によりコンテンツを前記記録媒体の前記第１の記録面に記録する第１の記録工程と、前記第１の記録面とは異なる前記第２の記録面に、前記第２の記録光により当該記録媒体を識別可能とするための識別情報を記録する第２の記録工程を有し、
この第２の記録工程により記録した前記識別情報のデータを、前記コンテンツに対応するコンテンツデータと関連付けて記憶手段に記憶しておき、
前記記録媒体を撮影して取得された前記記録媒体の識別情報が入力されたときに、入力された前記記録媒体の識別情報を用いて前記記憶手段を検索して、入力された前記記録媒体の識別情報に関連付けられている前記コンテンツデータを検出し、
検出された前記コンテンツデータによって、前記記録媒体に記録されている前記コンテンツを再生表示することを特徴とするコンテンツ表示方法。
【請求項２】
前記第１の記録工程と前記第２の記録工程とが同一の記録手段により行われる請求項１に記載のコンテンツ表示方法。
【請求項３】
前記第２の記録工程で記録される前記記録媒体を識別可能とするための識別情報が画像情報である請求項１または２に記載のコンテンツ表示方法。
【請求項４】
前記第２の記録工程は、前記記録媒体の本来の情報記録面とは異なるラベル面に、前記第１の記録工程における情報記録に用いられる記録光を用いて行われる請求項１〜３のいずれかに記載のコンテンツ表示方法。
【請求項５】
前記コンテンツは、デジタルデータで構成されるものであり、
前記記録媒体は、前記デジタルデータを記録可能な媒体であり、
前記コンテンツに対応するコンテンツデータは、前記コンテンツを構成するデジタルデータの概要データである請求項１〜４のいずれかに記載のコンテンツ表示方法。
【請求項６】
前記コンテンツの再生表示は、撮影機能、再生表示機能および送受信機能を備えた携帯機器によって行われる請求項１〜５のいずれかに記載のコンテンツ表示方法。
【請求項７】
請求項１〜６のいずれかに記載のコンテンツ表示方法を実施するためのコンテンツ表示システムであって、
表面並びに裏面に情報を記録可能な記録媒体を用いて、第１の記録面にコンテンツ情報を、第２の記録面に当該記録媒体の識別情報を撮影手段により撮影可能な形で記録することのできる記録手段と、
前記記録媒体を撮影する撮影手段と、
この撮影手段によって得られた前記記録媒体の識別情報に基づいて、前記記録媒体に記録されているコンテンツ情報を検索し、このコンテンツ情報と関連付けられて記憶されているコンテンツデータを読み出す読み出し手段とを有する制御手段と、
前記読み出し手段により読み出されたコンテンツデータ、もしくはこれに基づいて検索されたコンテンツ情報を、再生表示する再生表示手段と
を有することを特徴とするコンテンツ表示システム。
【発明の詳細な説明】
【技術分野】
【０００１】
本発明は、コンテンツ表示方法およびコンテンツ表示システムに関し、詳しくは、コンテンツが収納された収納媒体や、コンテンツデータが記録された記録媒体について、その内部に収納されたコンテンツを再生表示する表示方法およびシステムに関する。
【背景技術】
【０００２】
パソコンの高性能化、デジタル録画装置等のデジタル家電機器の普及、およびネットワーク回線システムの高性能化に伴い、家庭でもパソコンと各種の家電機器とを接続して、いわゆるホームネットワークを構築し、各種のデジタルコンテンツを相互にやりとりして、記録、編集、再生することが行われるようになってきている。
【０００３】
例えば、テレビとパソコンおよび各種記録媒体の記録装置を接続することにより、テレビ番組をパソコンのハードディスクに一時的に録画しておき、後から、記録部分の選択や合成などの編集を加えて記録媒体に記録することや、ハードディスクを備えるＤＶＤ記録装置によって、テレビ番組をＤＶＤ記録装置のハードディスクに一旦記憶し、後から、記録部分を選択してＤＶＤに記録することが行われている。
【０００４】
また、デジタルビデオカメラやデジタルスチルカメラなどをホームネットワークに接続し、ユーザが撮影した画像をそのまま、あるいは編集して、ＣＤ−ＲやＤＶＤなどに記録すること、インターネットで配信された音楽データや、ユーザが作成した音楽データをＣＤ−ＲやＭＤなどの記録媒体に記録することなども一般に行われるようになっている。
【０００５】
一方、記録媒体は大容量化を遂げ、１つの記録媒体に非常に多くのコンテンツを記録できるようになった。さらに、ＤＶＤ−ＲＷ、ＣＤ−ＲＷ、ＭＤといった記録媒体は、データの書き換えが可能である。このような記録媒体は、データの記録の点で非常に便利で便利であるが、記録媒体を再生装置に装填しないと、記録されたコンテンツを参照することができないため、データの管理や検索が不便であるという問題がある。
【０００６】
従来は、記録媒体に記録したコンテンツの名称等を記録媒体のラベルに記入することが行われていた。しかし、ラベルの記入作業は非常に面倒であるし、ラベルに記入できる情報はわずかであるため、後から見てコンテンツを的確に識別することが難しかったり、記録されたコンテンツの数が多い場合には必要な情報を記入し切れなかったり、また、ラベル記入後に記録内容が書き換えられて、ラベルとコンテンツが一致しなくなってしまったりすることがあった。
【０００７】
特許文献１には、ビデオテープを再生することなく、録画内容を確認できるように、ビデオテープに記録開始時の静止画像を記録するカメラ一体型磁気記録装置において、カセットテープに半導体メモリを内蔵させ、この半導体メモリに記録開始時の静止画像（インデックス画像など）を書き込むことにより、この静止画像の記録を確実かつ容易にし、ビデオテープの内容確認に際しての再生を素早く行うようにすることが開示されている。
【０００８】
このカメラ一体型磁気記録装置によれば、ラベルなどに録画内容を記入する必要がなく、静止画像を参照することにより、録画内容を確認することができるとされている。しかしながら、カセットテープに半導体メモリを内蔵させる必要があるため、カセットテープのコストアップを招くという問題がある。また、録画内容を確認する際には、カセットテープを読取り装置に装填しなければならず、手間がかかるという問題があった。
【０００９】
また、特許文献２には、記録媒体の外装部分に画像表示素子を装着することにより記録媒体に画像表示部を一体化し、この画像表示部に記録媒体に記録されているデータ内容を表示することにより、記録媒体の内容確認を簡単にすることが開示されている。しかし、この記録媒体のハードウエアは、画像表示素子に記録するための専用の記録装置を備える必要があり、ハードウエアが複雑になり、コストアップを招くという問題があった。
【００１０】
【特許文献１】特開２００３−１０１９２２号公報
【特許文献２】特開２００２−２４５７４７号公報
【発明の開示】
【発明が解決しようとする課題】
【００１１】
これに対しては、本出願人の出願に係る特願２００４−９３１１８号「コンテンツ表示方法およびシステム」（以下、先願という、特開２００５−２８４３６７号公報参照）により提案された方法およびシステムが有効である。
この方法およびシステムは、コンテンツが記録された、外観から識別可能な記録媒体を撮影して撮影画像データを得、得られた撮影画像データから前記記録媒体の識別情報を取得し、取得された前記記録媒体の識別情報と前記コンテンツに対応するコンテンツデータとを関連付けてホームサーバ内の記憶手段に記憶しておき、前記記録媒体を撮影して取得された前記記録媒体の識別情報が入力されたときに、入力された前記識別情報を用いて前記記憶手段を検索し、入力された前記識別情報と合致する前記記録媒体の識別情報を検出し、検出された前記記録媒体の識別情報と関連付けられて記憶されている前記コンテンツデータを前記記憶手段から読み出し、読み出された前記コンテンツデータによって、前記記録媒体に収納されている前記コンテンツを再生表示するようにしたものである。
【００１２】
この方法およびシステムでは、記録媒体の撮影画像を識別情報としてホームサーバ内の記録媒体の記録内容が管理されるので、記録媒体の記録内容を参照したいときには、記録媒体を装置に装填せずとも、その記録媒体を撮影機能付き携帯機器などで撮影することにより、記録されているコンテンツの概要データがその携帯機器で再生され、記録内容を簡単に確認することができるという点で、極めて有効な方法およびシステムである。
【００１３】
本発明の目的は、上記先願に係るコンテンツ表示方法およびシステムとは別の手段により、すなわち、記録媒体を撮影する操作に代えて、情報記録用のレーザ光を用いて記録媒体にこの記録媒体を識別可能とする画像を記録することにより、記録媒体を装置に装填せずに、上記画像情報を介して（利用して）、簡単に記録内容（コンテンツ）を確認できるコンテンツ表示方法およびシステムを提供することにある。
【課題を解決するための手段】
【００１４】
上記課題を解決するために、本発明に係るコンテンツ表示方法は、第１の記録光によりデータを記録可能な第１の記録面と、第２の記録光によりデータを記録可能な第２の記録面とを有する記録媒体を用い、前記第１の記録光によりコンテンツを前記記録媒体の前記第１の記録面に記録する第１の記録工程と、前記第１の記録面とは異なる前記第２の記録面に、前記第２の記録光により当該記録媒体を識別可能とするための識別情報を記録する第２の記録工程を有し、この第２の記録工程により記録した前記識別情報のデータを、前記コンテンツに対応するコンテンツデータと関連付けて記憶手段に記憶しておき、前記記録媒体を撮影して取得された前記記録媒体の識別情報が入力されたときに、入力された前記記録媒体の識別情報を用いて前記記憶手段を検索して、入力された前記記録媒体の識別情報に関連付けられている前記コンテンツデータを検出し、検出された前記コンテンツデータによって、前記記録媒体に記録されている前記コンテンツを再生表示することを特徴とする（請求項１）。
【００１５】
ここで、前記第１の記録工程と前記第２の記録工程とが同一の記録手段により行われることが好ましい（請求項２）。
また、前記第２の記録工程で記録される前記記録媒体を識別可能とするための識別情報が画像情報であることが好ましい（請求項３）。
また、ここで、前記第２の記録工程は、前記記録媒体の本来の情報記録面とは異なるラベル面に、前記第１の記録工程における情報記録に用いられる記録光を用いて行われることが好ましい（請求項４）。
【００１６】
さらに、前記コンテンツはデジタルデータで構成されるものであり、前記記録媒体は前記デジタルデータを記録可能な媒体であり、前記コンテンツに対応するコンテンツデータは、前記コンテンツを構成するデジタルデータの概要データであることが好ましい（請求項５）。
また、さらに、前記コンテンツの再生表示は、撮影機能、再生表示機能および送受信機能を備えた携帯機器によって行われることが好ましい（請求項６）。
【００１７】
なお、本発明は、上述のようなコンテンツ表示方法を実施するためのコンテンツ表示システムとして具体化することが可能である。
すなわち、本発明に係るコンテンツ表示システムは、上述の各コンテンツ表示方法を実施するためのコンテンツ表示システムであって、表面並びに裏面に情報を記録可能な記録媒体を用いて、第１の記録面にコンテンツ情報を、第２の記録面に当該記録媒体の識別情報を撮影手段により撮影可能な形で記録することのできる記録手段と、前記記録媒体を撮影する撮影手段と、この撮影手段によって得られた前記記録媒体の識別情報に基づいて、前記記録媒体に記録されているコンテンツ情報を検索し、このコンテンツ情報と関連付けられて記憶されているコンテンツデータを読み出す読み出し手段とを有する制御手段と、前記読み出し手段により読み出されたコンテンツデータ、もしくはこれに基づいて検索されたコンテンツ情報を、再生表示する再生表示手段とを有することを特徴とする（請求項７）。
【発明の効果】
【００１８】
本発明によれば、ホームサーバで、記録媒体の外観画像等の識別情報を記憶装置に記憶させるとともに、この情報を記録媒体のデータ記録面とは異なる面に記録するようにしたので、ホームサーバに、記録媒体への記録内容と記録媒体の識別情報とをセットで記憶することが可能になり、先願において用いられているような、前記記録媒体の識別情報と前記コンテンツデータとを関連付ける際（登録時）の記録媒体の撮影操作が不要になるという利点が得られる。
【００１９】
なお、参照時における操作は、先願において用いられている、記録媒体を撮影してその情報をホームサーバに送信する操作がそのまま用い得るので、記録媒体を装置に装填せずとも、その記録媒体を撮影機能付き携帯機器などで撮影することにより、記録されているコンテンツの概要データがその携帯機器で再生され、記録媒体の記録内容を簡単に確認することができる。
【発明を実施するための最良の形態】
【００２０】
本発明に係るコンテンツ表示方法およびシステムを添付の図面に示す好適実施例に基づいて以下に詳細に説明する。
図１（Ａ）〜（Ｃ）は、本発明のコンテンツ表示方法を実施するためのコンテンツ表示システムの概略構成の一実施形態を示す概念図、図２は、この実施形態の作用の流れを示すフロー図である。
【００２１】
図１に示すコンテンツ表示システム１０は、ホームサーバ１２と、記録手段１４と、携帯機器１６とを有している。このコンテンツ表示システム１０は、ホームサーバ１２に記憶されたコンテンツ本体データＣを記録手段１４によって記録媒体Ｍの第１の記録面に記録する。その後に、コンテンツ本体データＣを記録した記録媒体Ｍの第１の記録面とは異なる第２の記録面に、当該記録媒体Ｍを識別可能とするための識別情報を記録する。
上述の識別情報のデータは、記録媒体Ｍの識別情報Ｄ２として、この識別情報Ｄ２とコンテンツ本体データＣの概要データＩとを関連付けてホームサーバ１２内に記憶して蓄積しておき、後になって、記録媒体Ｍに記録されている内容を確認したい場合には、この記録媒体Ｍの識別情報Ｄ２を用いてホームサーバ１２内に蓄積されているデータの検索を行って、記録媒体Ｍに記録されたコンテンツ本体データＣの概要データＩを検出して表示するものである。
【００２２】
上述の作用をフロー図として示したのが、図２である。
図２に示すように、まず、ホームサーバ１２内でコンテンツ本体データＣの概要データＩが作成され、コンテンツ本体データＣと対応付けて記憶される。また、記録媒体Ｍに記録する記録媒体Ｍの識別情報（例えば、レーベル画像）が作成され、上記概要データＩと対応付けて記憶される（ステップ３０）。
【００２３】
次いで、ステップ３２，３４では、上記コンテンツ本体データＣが記録装置１４に伝送され、記録される。この際、ホームサーバ１２内では、記録処理に係る情報が作成され、上記概要データＩと対応付けて記憶される（ステップ３４）。
さらに、ステップ３６，３８では、上記記録媒体Ｍの識別情報が記録装置１４に伝送され、コンテンツ本体データＣの記録面とは異なる記録面に記録される。
【００２４】
この段階で、１つのコンテンツを記録した記録媒体について、記録媒体とその記録内容との対応付けが完了し、ホームサーバ１２内にもその情報が記憶される。
後に、ある記録媒体に関して、その記録内容が知りたいという要望があったときに、上述のホームサーバ１２内の情報に基づく問い合わせ（参照・照会）作用が実行されることになる。
【００２５】
参照の作用は、携帯機器１６を用いて対象とする記録媒体を撮影するステップ４０から開始される。撮影によって取得された画像データはホームサーバ１２に伝送され、ホームサーバ１２内において、伝送されたデータの解析（パターン認識，パターンマッチング等を含む）が行われる。該当するコンテンツ概要データＩもしくはコンテンツ本体データＣが、要求元である携帯機器１６に伝送される（ステップ４２）。
【００２６】
携帯機器１６では、この情報に基づき概要データＩもしくはコンテンツ本体データＣが再生／表示される（ステップ４４）。
以上が、一実施形態におけるコンテンツ表示方法の流れの概要である。以下、その詳細について、図１に示す構成の詳細とともに、説明する。
【００２７】
コンテンツ本体データ（以下、単に、コンテンツとする）Ｃは、動画または静止画の画像、音声や音楽、プログラム等のコンテンツを構成する、画像データ、音声データ、プログラムデータ等のデジタルファイルである。
【００２８】
コンテンツ概要データＩは、コンテンツＣの内容を端的に把握できる、コンテンツＣと同種のデータでそのサイズが大幅に小さいものであって、コンテンツＣから生成された、またはコンテンツＣの取得時に取得された抜粋データや圧縮データ等である。例えば、コンテンツ概要データＩは、コンテンツＣが動画データであれば、予め選択されたハイライトシーンやチャプタ毎の見出しシーン（シーンの切り替わりを自動判定してもよい）等の動画データまたはインデックス画像等の静止画データなどであり、コンテンツＣが静止画データであれば、サムネールなどの縮小画像データなどであり、コンテンツＣが音声データであれば、所定箇所の抜粋データ等の音声データなどであり、プログラムであれば、その部分データである。
【００２９】
ホームサーバ１２は、記憶部１８と、制御部２０とを有しており、また、図示しない外部とのデータ送受信のための接続部を介して記録装置１４と接続されている。また、ホームサーバ１２は、図示しない表示部（モニタ）や指示入力手段を備えている。さらに、ホームサーバ１２には、記録装置１４の他にも、テレビ、プリンタ、デジタルカメラ、パソコンなど、各種の家電機器が接続されていてもよい。ホームサーバ１２は、記録装置１４の管理機能を有しており、比較的高性能のパソコン等によって構成することができる。なお、ホームサーバ１２は、記録装置１４以外にも接続されている機器がある場合には、それらの管理機能を有していてもよい。
【００３０】
記憶部１８には、ホームサーバ１２に接続された家電機器によって取得され、あるいは作成されたデジタル画像データや音声データ、プログラム等のデジタルファイルがコンテンツＣ（Ｃ１、Ｃ２、Ｃ３、・・・、Ｃｎ）として記憶されている。また、記憶部１８には、このコンテンツＣに対応するその概要データＩ（Ｉ１、Ｉ２、Ｉ３、・・・、Ｉｎ）も記憶されている。コンテンツＣとコンテンツ概要データＩとは別構成とされており、コンテンツＣが記憶部１８から消去された場合にも、コンテンツ概要データＩは、ユーザによって意図的に消去処理が行われるまでは記憶部１８に維持される。
【００３１】
制御部２０は、記憶部１８へのデータの書き込み、読み出し、編集、検索・検出を始めとするホームサーバ１２における各種のデータ処理を行い、また、外部機器とのデータの送受信の制御を行うものである。また、制御部２０は、ホームサーバ１２に接続された記録装置１４を制御する。
【００３２】
記録装置１４は、ホームサーバ１２の制御部２０からの制御によって、送られてきたコンテンツＣを記録媒体Ｍにそのまま、あるいは編集して記録するものである。記録媒体Ｍとしては、ＤＶＤ−Ｒ、ＣＤ−Ｒ、ＭＤ等の光学記録媒体や、磁気ディスク、磁気テープ等の磁気記録媒体が例示される。なお、記録装置１４は、ホームサーバ１２と一体型に構成されたハードディスク付きＤＶＤ記録装置などであってもよい。
【００３３】
また、本実施形態において参照時に使用する携帯機器１６は、撮影機能、画像や音声の再生表示機能、ならびに送受信機能を有し、ホームサーバ１２とのデータの送受信が可能な携帯型の機器である。携帯機器１６は、記録媒体Ｍの外観を撮影して記録媒体Ｍの撮影識別情報ＰＤ２ｔを取得し、この撮影識別情報ＰＤ２ｔをホームサーバ１２に伝送する。また、携帯機器１６は、ホームサーバ１２から伝送されたデータを受け取って画像または音声（音楽）を再生表示する。携帯機器１６とホームサーバ１２との送受信は、有線で行ってもよいが、携帯機器１６の携帯性の点から無線で行うのが好ましい。無線通信の例としては、ＬＡＮ，BlueTooth（登録商標）、赤外線等によって直接通信するものや、携帯電話回線またはインターネット等を経由して通信するものが挙げられる。携帯機器１６としては、カメラ付き携帯電話や、通信機能付きデジタルカメラ等が例示される。
【００３４】
次に、本実施形態のコンテンツ表示システム１０の作用を説明する。
図１（Ａ）は、ホームサーバ１２に記憶されたコンテンツＣを記録手段１４によって記録媒体Ｍに記録する工程（第１の記録工程）（以下、記録時とする）を示している。
【００３５】
記録時には、記憶部１８に記憶されたコンテンツＣ１は、制御部２０によって読み出され、記録装置１４に送信されて、記録装置１４において記録媒体Ｍ１の第１の記録面（レーベル面とは逆の面）に記録される。このとき、制御部２０では、記録装置１４によって記録媒体Ｍ１へ記録したコンテンツＣ１の内容を示す記録処理情報Ｄ１１が生成される。生成された記録処理情報Ｄ１１は、記憶部１８に記憶されているコンテンツＣ１の概要データＩ１と対応付けて、記憶部１８に記憶される。
【００３６】
記録処理情報Ｄ１１は、例えば、記録装置１４による記録処理時刻や記録後の記録媒体Ｍ１の記録装置１４からの排出時刻等の、好ましくは秒単位の時刻情報と、コンテンツＣ１のコンテンツ名（複数のコンテンツＣを記録した場合には、その複数個のコンテンツＣのコンテンツ名）等のコンテンツの識別情報とから構成されるのが好ましい。あるいは、重複するコンテンツＣが無い場合などには、時刻情報およびコンテンツ名の一方を記録処理情報Ｄ１１としてもよい。
【００３７】
記録媒体Ｍ１へ記録されるために記憶部１８から読み出されたコンテンツＣ１は、記憶部１８から自動的に消去されるか、ユーザからの指示によって消去される。コンテンツＣ１が記憶部１８から消去された場合にも、その概要データＩ１および記録処理情報Ｄ１１は記憶部１８に維持される。
【００３８】
図１（Ｂ）は、ホームサーバ１２内においてコンテンツＣ１を記録した記録媒体Ｍ１の識別情報Ｄ２１を生成し、その識別情報Ｄ２１と、上述の記録時に生成されて記憶部１８に記憶された記録処理情報Ｄ１１とをセットにして、ホームサーバ１２内に記憶して蓄積するとともに、記録装置１４を用いて、上述の記録媒体Ｍ１の識別情報Ｄ２１を、コンテンツＣ１を記録した同一の記録媒体Ｍ１のレーベル面に記録する工程（登録時とする）を示している。
【００３９】
この記録媒体Ｍ１の識別情報Ｄ２１の記録媒体Ｍ１のレーベル面への記録に際しては、市販されているレーザ光による記録システム（ソフトウェア）である「Label flash」（登録商標）を用いることが好ましい。この「Label flash」は、通常の情報記録面側のみならずレーベル面側にも（すなわち、両面）、記録面を備えたＤＶＤを用いて、同一の記録装置１４を用いて、ＤＶＤの両面に記録を行うことができるようにしたものである。ここで、記録するデータとしては、通常、すべての種類のデジタルデータを対象とすることができる。
【００４０】
この「Label flash」を用いる記録方法の利点は、いうまでもなく、記録媒体Ｍ１の識別情報Ｄ２１を記録する際に、新たな記録手段を用意する必要がないことであり、さらに、本来の情報記録に用いる記録装置１４をそのまま用いて、両面型のＤＶＤのレーベル面（おもて面）に、記録媒体Ｍ１の識別情報Ｄ２１を所望のフォーマットで記録することが簡単にできるという大きな利点がある。
【００４１】
そして、記録装置１４によってコンテンツＣ１が記録され、さらにレーベル面（おもて面）に記録媒体Ｍ１の識別情報Ｄ２１が記録された記録媒体Ｍ１は、記録時および登録時の処理がすべて終了したものとして、ＤＶＤ記録装置（図示されていない）から排出される。ホームサーバ１２では、記録媒体の識別情報Ｄ２１が記憶部１８内に先に記憶された記録処理情報Ｄ１１とセットにして記憶部１８に記憶（登録）される。
【００４２】
ここで、上述の記録媒体Ｍの識別情報Ｄ２としては、画像を用いる場合であれば、対応するコンテンツの概要データ中のインデックスコマからさらに選抜したもの、ユーザの好みのコマあたりサイズ、コマ数、被写体種別等に応じて選抜したもの、その他、飾りパターンを合成したもの、さらには全く別の画像を編集したもの等が用い得る。この識別情報Ｄ２は、外観の画像（参照時における撮影画像データ）で識別できることが必要であり、それぞれの色やパターン等が異なることが前提とされる。
例えば、既に使用済みのレーベル画像等との類似度をチェックし、所定以上の類似度がある場合には、他のインデックスコマに自動的に切り替える等して、差が明確になるようにする。
【００４３】
上述のようにして、記憶部１８に記憶された複数のコンテンツＣ（Ｃ１、Ｃ２、Ｃ３、・・・、Ｃｎ）が記録媒体Ｍ（Ｍ１、Ｍ２、Ｍ３、・・・、Ｍｎ）に記録されるごとに、記録処理情報Ｄ１（Ｄ１１、Ｄ１２、Ｄ１３、・・・、Ｄ１ｎ）および記録媒体の識別情報Ｄ２（Ｄ２１、Ｄ２２、Ｄ２３、・・・、Ｄ２ｎ）が生成され、各コンテンツＣの概要データＩ（Ｉ１、Ｉ２、Ｉ３、・・・、Ｉｎ）に関連付けられて記憶部１８に記憶されることにより、複数のコンテンツＣの概要データＩと、コンテンツＣを記録した記録媒体Ｍの識別情報Ｄ２とが記憶部１８に蓄積される。
【００４４】
図１（Ｃ）は、記録媒体Ｍｔに記録された内容（コンテンツＣｔ）を知りたいときに、記録媒体Ｍｔの撮影識別情報ＰＤ２ｔによってホームサーバ１２内を検索し、記録媒体Ｍｔに記録されたコンテンツＣｔの概要データＩｔを検出して表示する工程（参照時とする）を示している。
【００４５】
上述のようにして、複数の記録媒体ＭのそれぞれにコンテンツＣが記録され、複数のコンテンツＣの概要データＩとそれに関する情報とが記憶部１８に蓄積された後、記録媒体Ｍｔに記録された内容（コンテンツＣｔ）を参照したい場合には、まず、参照したい記録媒体Ｍｔの外観が、携帯機器１６によって撮影され、その撮影画像データが記録媒体の撮影識別情報ＰＤ２ｔとしてホームサーバ１２に伝送される。
【００４６】
ホームサーバ１２では、制御部２０によって、伝送されてきた記録媒体の撮影識別情報ＰＤ２ｔと、記憶部１８に記憶されているｎ個の記録媒体の識別情報Ｄ２群（Ｄ２１〜Ｄ２ｎ）の各データとが比較され、識別情報Ｄ２群の中から、撮影識別情報ＰＤ２ｔと画像特徴量が最も類似するもの、あるいは、コード／文字内容が合致するものが検出される。
【００４７】
撮影識別情報ＰＤ２ｔに対応する識別情報Ｄ２（Ｄ２ｔ）が検出されると、その検出された識別情報Ｄ２ｔとセットになって記憶されている記録処理情報Ｄ１ｔに対応するコンテンツ概要データＩｔが携帯機器１６に返送される。そして、携帯機器１６において、このコンテンツ概要データＩｔが再生される。
【００４８】
コンテンツ概要データＩは、静止画、動画、テキスト、音声（音楽）およびこれらの組み合わせにより再生される。具体的には、コンテンツ概要データＩの種類および携帯機器１６の機能に応じて、携帯機器１６の表示部（図示しない）に画像が表示されるか、または携帯機器１６から音声が再生される。例えば、携帯機器１６には、インクデックス画像や、音声付きの短い動画等が表示され、あるいは曲の冒頭部分等が再生される。この再生された情報により、ユーザは、記録媒体Ｍｔに記録された内容（コンテンツＣｔ）を確認することができる。
【００４９】
また、コンテンツＣが動画データである場合、そのコンテンツ概要データＩは、次のような階層構造（ツリー構造）を有するものとするのも好ましい。すなわち、携帯機器１６の表示部には、まず、記録されている複数の動画コンテンツＣのインデックスが表示される。このインデックス表示から、特定のコンテンツＣが指定されると、次に、そのコンテンツのチャプタ毎の代表コマがインデックス表示される。さらに、特定チャプタが指定されると、そのチャプタの簡略な動画（低画質、短時間の動画）が再生される。この動画は、音声付きであるのも好ましい。
【００５０】
あるいは、さらに、コンテンツ毎の記録時間や付属情報を再生表示するのも好ましい。付属情報としては、例えば、テレビ録画の場合には、番組のタイトルや放送チャンネル等、ユーザによって撮影された動画の場合には、撮影日時や撮影場所等が例示される。また、記録媒体Ｍの記録容量の残量を再生表示するのも好ましい。
【００５１】
コンテンツ概要データＩｔは、記録媒体Ｍｔの識別情報Ｄ２ｔを取得した携帯機器１６によって再生されるのが、ユーザの利便性の点で好ましいが、コンテンツ概要データＩｔによる再生画像が多い場合などには、ホームサーバに管理された他のモニタへ表示させてもよい。また、コンテンツ概要データＩｔに合わせて、記録処理情報Ｄ１ｔを文字化して表示してもよい。
【００５２】
なお、上記実施形態においては、記録装置１４によって記録される記録媒体Ｍの識別情報（画像データ等）をそのまま記録媒体の識別情報Ｄ２として記憶部１８に記憶しているが、記憶部１８には、上記識別情報が画像データの場合、この画像データの画像解析結果データを記憶する形態としてもよい。
【００５３】
例えば、登録時に、記録媒体Ｍのおもて面記録用画像データを、制御部２０によってコード／文字認識を行った後、その認識結果データを識別情報Ｄ２として記憶部１８に記憶しておき、参照時には、制御部２０において、携帯機器１６から伝送された記録媒体Ｍｔの撮影画像データのコード／文字認識を行った後、そのコード／文字認識結果データと、記憶部１８に記憶されている識別情報Ｄ２とを比較して、コード／文字内容の合致するものを検出してもよい。
【００５４】
あるいは、携帯機器１６にコード／文字認識機能を備え、参照時に、携帯機器１６によって、記録媒体Ｍの撮影画像データが取得された後、コード／文字認識が行われて、得られたコード／文字認識結果データが識別情報Ｄ２としてホームサーバ１２に伝送される形態としてもよい。この場合は、参照時には、制御部２０において、携帯機器１６から伝送されたコード／文字認識結果データである識別情報Ｄ２ｔと、記憶部１８に記憶されている識別情報Ｄ２とが比較されて、コード／文字内容の合致するものが検出される。
【００５５】
以上、本発明に係るコンテンツ表示方法およびシステムについて詳細に説明したが、本発明は上記実施形態に限定されず、本発明の主旨を逸脱しない範囲において、種々の改良や変更を行ってもよいことはいうまでもない。
【図面の簡単な説明】
【００５６】
【図１】（Ａ）〜（Ｃ）は、本発明のコンテンツ表示方法を実施するコンテンツ表示システムの概略構成の一実施形態を示す概念図である。
【図２】一実施形態の作用の流れを示すフロー図である。
【符号の説明】
【００５７】
１０  コンテンツ表示システム
１２  ホームサーバ
１４  記録手段
１６  携帯機器
１８  記憶部
２０  制御部
Ｃ  コンテンツ本体データ
Ｄ２  記録媒体の識別情報
Ｉ  コンテンツの概要データ
Ｍ  記録媒体
【図１】
2007317321.tif 000003
【図２】
2007317321.tif 000004